(57)【要約】【課題】長方形の撮影画像を形状の異なる、ビデオテープやメモリカードなどの記録媒体のラベルや円形のディスクのレーベルに印刷することを前提として撮像する場合に、ユーザにとって撮影画像と印刷画像の構図を知得可能にする。【解決手段】撮影画像をビデオテープ、メモリカード、ディスクなどの外部の記録媒体に記録する際、長方形の撮影画像を形状の異なる、ビデオテープやメモリカードなどの外部記録媒体のラベルや円形のディスクのレーベルに印刷することを考慮して、ファインダを構成する表示手段１１４に、撮影される画像と共に、ビデオテープやメモリカードなどの記録媒体のラベルや円形のディスクのレーベルに印刷可能な範囲及び印刷が欠ける範囲を示すフレームＦ１、Ｆ２を表示させる。【選択図】図４
2008300947.tif 000002
【特許請求の範囲】
【請求項１】
撮影手段により撮影された画像のデータを外部の記録媒体に出力して前記記録媒体に保存可能な撮影装置において、
ファインダを構成する表示手段に、前記撮影手段により撮影される画像と共に、前記記録媒体のラベルに印刷可能な範囲及び印刷が欠ける範囲を示すフレームを表示させる手段を、
備えたことを特徴とする撮影装置。
【請求項２】
前記フレームは、前記記録媒体として円形のディスクのラベル面に貼付するドーナツ状ラベルの形状を示すフレームを含み、前記ドーナツ状のフレームの外周と前記撮影手段により撮影される画像の外周が一致するように前記表示手段に表示させることを特徴とする請求項１に記載の撮影装置。
【請求項３】
前記ドーナツ状のフレームを用いて撮像する場合に、印刷が欠ける中心に対してピントを合わせることなく印刷可能な範囲にピントが合うように撮像することを特徴とする請求項２に記載の撮影装置。
【請求項４】
前記フレームは、前記記録媒体の四角形のラベルの形状を示すフレームを含み、前記四角形のフレームの外周と前記撮影手段により撮影される画像の外周が一致するように前記表示手段に表示させることを特徴とする請求項１から３のいずれか１つに記載の撮影装置。
【請求項５】
請求項２又は３に記載の前記ドーナツ状のフレーム又は請求項４に記載の前記四角形のフレームを選択的に前記表示手段に表示させることを特徴とする撮影装置。
【請求項６】
前記撮影手段により撮影された画像から前記フレーム外の画像を削除して前記フレーム内の画像のみを保存することを特徴とする請求項１から５のいずれか１つに記載の撮影装置。
【請求項７】
前記撮像手段により撮影された画像に対して、印刷可能な範囲と前記外部の記録媒体のラベル形状とを位置合わせするためのマークを合成して外部コンピュータに出力することを特徴とする請求項１から６のいずれか１つに記載の撮影装置。
【請求項８】
請求項２又は３に記載の前記ドーナツ状のフレーム又は請求項４に記載の前四角形のフレームを分割し、複数の撮影フレームを形成し、選択的に前記表示手段に表示させることを特徴とする撮影装置。
【請求項９】
前記撮影手段によって分割撮影された画像から、請求項２又は３に記載の前記ドーナツ状のフレーム又は請求項４に記載の前四角形のフレームに合わせ、画像を合成し、前記フレーム外の画像を形成することを特徴とする請求項１から５、及び８のいずれか１つに記載の撮影装置。
【発明の詳細な説明】
【技術分野】
【０００１】
本発明は、デジタルスチルカメラなどの撮影装置に関し、特に撮影画像のデータをビデオテープ、メモリカード、ディスクなどの外部の記録媒体に記録する際、長方形の撮影画像を形状の異なる、ビデオテープやメモリカードなどの外部記録媒体のラベルや円形のディスクのレーベルに印刷する場合に好適な撮影装置に関する。
【背景技術】
【０００２】
ビデオカセットテープ、ＭＤなどの記録媒体に貼付するラベルに対して記録内容を印刷する従来技術としては、下記の特許文献１、２、３に記載されたものなどが知られている。ここで、円形のディスクに貼付するラベルは、英語式発音に習って通常、「レーベル」と言うので、本明細書でも「レーベル」を用いる。
【特許文献１】特開平８−１４９４０１号公報（要約書）
【特許文献２】特開２０００−７８１９９号公報（要約書）
【特許文献３】実用新案登録第３０６８７３２号公報（要約書）
【発明の開示】
【発明が解決しようとする課題】
【０００３】
ところで、図８に示すように円形のディスクのレーベル面に対して、撮影画像をレーベル用紙に全面印刷する場合、ディスクの中心にはスピンドルモータのシャフト用の穴が開けられており、また、この穴からインナリードまでにはレーベルを貼ることができず、レーベル形状は環状（ドーナツ状）であるので、この形状のレーベル用紙に全面印刷すると、撮影画像の中心部が欠けてしまい、ユーザの意図するレーベルを作成することができない。また、レーベル形状はドーナツ状、撮影画像は長方形であるので、レーベル用紙の外側の撮影画像が欠けてしまう。また、図９に示すようにドーナツ状のレーベル用紙に対して複数の長方形の撮影画像Ｐ１、Ｐ２、Ｐ３をレイアウトして印刷する場合、各印刷画像が重なったりしてレイアウト作業が困難である。
【０００４】
すなわち、従来、外部記録媒体のラベル印刷を前提にした静止画撮影装置はなく、ユーザがラベル印刷用の画像データを作成するには、パーソナルコンピュータなどの編集機器と編集ソフトを利用することによって、撮影した画像データを加工しラベル印刷を実現しているが、この場合では、例えばディスクのような中心部に穴があるようなラベル形状に１つの画像を全面印刷する場合、画像の構図とレーベル形状の不一致によって、理想的なラベル印刷を実現することが難しいことが課題であった。また、複数の画像をラベル形状に合わせてレイアウトし、合成して印刷する場合には、各画像の縦横の比によって、理想的なラベル印刷を実現することが難しいことが課題であった。
【０００５】
本発明は上記従来の問題点に鑑み、長方形の撮影画像を形状の異なる、ビデオテープやメモリカードなどの記録媒体のラベルや円形のディスクのレーベルに印刷することを前提として撮像する場合に、ユーザにとって撮影画像と印刷画像の構図を知得することができる撮影装置を提供することを目的とする。
【課題を解決するための手段】
【０００６】
本発明は上記目的を達成するために、撮影手段により撮影された画像のデータを外部の記録媒体に出力して前記記録媒体に保存可能な撮影装置において、
ファインダを構成する表示手段に、前記撮影手段により撮影される画像と共に、前記記録媒体のラベルに印刷可能な範囲及び印刷が欠ける範囲を示すフレームを表示させる手段を、
備えたことを特徴とする。
【発明の効果】
【０００７】
本発明によれば、ファインダを構成する表示手段に、撮影される画像と共に、記録媒体のラベルに印刷可能な範囲を示すフレームを表示させるので、長方形の撮影画像を形状の異なる、ビデオテープやメモリカードなどの記録媒体のラベルや円形のディスクのレーベルに印刷することを前提として撮像する場合に、ユーザにとって撮影画像と印刷画像の構図を知得することができる。
【発明を実施するための最良の形態】
【０００８】
以下、図面を参照して本発明の実施の形態について説明する。図１は本発明に係る撮影装置の第１の実施の形態としてデジタルカメラを示すブロック図である。図１に示すように、このデジタルカメラでは、レンズ、絞り機構などからなる光学系１０１により、ＣＣＤ１０１上に撮影対象物からの反射光を入射して光学系１０１からの撮像光を電気信号に変換する。ＣＣＤ１０２からの信号は、信号処理部１０３で処理されて多値（Ｒ、Ｇ、Ｂ）のラスタデータ（画像データ）としてフレームメモリ１０８に出力される。信号処理部１０９はフレームメモリ１０８上のＲ、Ｇ、Ｂラスタデータを輝度成分Ｙ及び色差成分Ｕ、Ｖに変換してさらに画像ファイルに変換し、また、サムネイル画像を作成するための縮小処理を行う。記録媒体制御部１１０は、信号処理部１０９の出力を受け取って画像ファイルに変換された画像データ及びサムネイル画像データの記録媒体１１１の所定の位置への書き込みや、また記録された各画像データの読み出しなどの制御を行う。インターフェース１１２は外部装置とデータの授受を行う場合に用いる。
【０００９】
ＣＰＵ１０４は信号処理部１０３、フレームメモリ１０８、信号処理部１０９、及び記録媒体制御部１１０の動作制御、画像処理、及び画像圧縮伸張処理などの実行を制御し、ＲＡＭ１０５、ＲＯＭ１０６と共に制御部を構成している。入力手段１０７は、スイッチなどの操作による使用者からの指示を入力しデジタル信号に変換してＣＰＵ１０４に与える。表示手段１１３は、スイッチの状態表示や機能仕様表示を行うＬＥＤランプなどと、撮影した画像データ、あるいはファインダとして撮像対象を表示する液晶ディスプレイなどからなる。この他にも、撮影装置として、静止画撮影機能のあるビデオカメラや携帯電話、撮影用カメラを内蔵、又は外部接続を行い、静止画撮影機能を実現したパソコン環境などに適用することができる。
【００１０】
図２は実施の形態に係わる撮影、編集、印刷までの一連のシステム構成図の代表例である。図２（ａ）は、デジタルカメラ２０１とパーソナルコンピュータ２０２とプリンタ２０３とからなるシステムであり、デジタルカメラ２０１で撮影した画像データをパーソナルコンピュータ２０２にＵＳＢケーブル２０４を経由して取り込み、パーソナルコンピュータ２０２にて印刷物に合わせ画像編集を行い、印刷データをプリンタ２０３にＵＳＢケーブル２０４’を経由して転送し印刷する。図２（ｂ）は、デジタルカメラ２１１とプリンタ２１２とからなるシステムであり、デジタルカメラ２１１で撮影した画像データを、デジタルカメラ２１１から直接、印刷データとしてプリンタ２１２にＵＳＢケーブル２１３を経由して転送し印刷する。
【００１１】
図２（ｃ）は、デジタルカメラ２２１とパーソナルコンピュータ２２２とプリンタ２２３とからなるシステムであり、デジタルカメラ２２１で撮影した画像データはメモリカード２２４を介することによって、パーソナルコンピュータ２２２に画像データを移動し、印刷物に合わせ画像編集を行い、印刷データをプリンタ２０３にＵＳＢケーブル２０４’を経由して転送し印刷する。図２（ｄ）は、デジタルカメラ２３１とプリンタ２３２とからなるシステムであり、デジタルカメラ２３１で撮影した画像データを、メモリカード２３３を介して、プリンタ２３２に提供し、印刷する。
【００１２】
この他にも撮影装置としては、静止画撮影機能のあるビデオカメラや携帯電話、撮影用カメラを内蔵、又は外部接続を行い、静止画撮影機能を実現したパソコン環境などが該当する。印刷装置としては、印刷装置全てが含まれる。画像データの移動手段としては、ＵＳＢケーブル以外にもＬＡＮ、ＩＥＥＥ１３９４、Bluetooth（登録商標）などのネットワーク環境、赤外線などによる通信環境が該当する。メモリカード２２４、２３３以外にも記録媒体全般が該当する。このようなシステムを用いて、デジタルカメラ２０１、２１１、２２１、２３１により撮像された画像をビデオテープ、メモリカード、ディスク（いずれも不図示）などの外部の記録媒体に記録する際、記録画像を外部記録媒体のラベル（レーベル）に対して印刷することができる。
【００１３】
本実施の形態では、撮影装置自体で、外部記録媒体のラベル形状・寸法を入力する設定画面を設け、ユーザが撮影前に設定画面に沿ってラベル形状・寸法の入力を行う。この場合、ＣＰＵ１０４は図３に示すフローチャートのように、ＲＯＭ１０６のシステム制御プログラムを実行することにより、表示手段１１４にラベル形状・寸法の設定画面を表示し、入力手段１０７からのラベル形状・寸法の入力によって操作を実現する。まず、ステップｓ３１において印刷フレーム入力設定画面に入り、主にビデオテープやメモリカードなどの記録媒体のラベル形状は四角形であり、ディスクのレーベル形状はドーナツ形状であることから、ステップｓ３２において印刷フレーム形状をドーナツ形か四角形かを選択する。その他に、一般的な印刷フレーム形状をプリセットしておくことで、ユーザ側の設定負担を軽減することも考えられる。
【００１４】
ステップｓ３２においてドーナツ形を選択した場合は、ステップｓ３３においてドーナツ形の外周寸法を半径寸法、若しくは直径寸法で入力を行い、ステップｓ３４において内周寸法を半径寸法、若しくは直径寸法で入力を行い、設定を終了する。ステップｓ３２において四角形を選択した場合は、ステップｓ３５において四角形の短辺寸法の入力を行い、ステップｓ３６において長辺寸法の入力を行う。次いでステップｓ３７において４隅の角のＲ形状の入力を行う場合、Ｒ処理を行う縦方向、横方向の寸法入力、Ｒ半径の寸法入力が考えられるが、どこまで詳しく設定を行うかはシステム制御プログラムに依存し、また、設定を簡略化するため設定を省略しても構わない。プリセットを選択した場合には、ステップｓ３８においてプリセット登録された印刷フレームから選択を行い、設定を終了する。
【００１５】
この設定を行うことによって図１における表示手段１１４にはファインダとして、ドーナツ形の印刷フレームの設定を行った場合、印刷フレームの外周の直径を撮影画像の外周の短辺サイズに変換し、図４（ａ）のような印刷範囲が確認できるドーナツ形の印刷フレームＦ１を表示する。また、四角形フレームの設定を行った場合、設定した四角形フレームの長辺と短辺の比率が、撮影サイズの長辺と短辺の比率よりも小さい場合は、四角形フレームの短辺が撮影画像の外周の短辺サイズになるように変換し、図４（ｂ）のような印刷範囲が確認できる四角形フレームＦ２を表示する。同様に、設定した四角形フレームの長辺と短辺の比率が、撮影画像の外周の長辺と短辺の比率よりも大きい場合は、四角形フレームの長辺が撮影画像の外周の長辺サイズになるように変換し、印刷範囲が確認できるフレーム情報を表示する。
【００１６】
これによって、ユーザはビデオテープやメモリカードなどの記録媒体のラベルや円形のディスクのレーベルに印刷することを前提として撮像する場合に、ファインダ内において撮像範囲と、印刷範囲及び印刷が欠ける範囲を確認しながら被写体の位置合わせを行うことができる。これらの処理によって、ラベル、レーベル形状に合わせた撮影を実現することができる。ここで、実際の撮影時には、ピント合わせの範囲を印刷範囲内に自動的に限定し、特にドーナツ形フレームでの撮影時には印刷範囲外である中心にピントが合うことを防ぐ。
【００１７】
また、メモリカードやネットワーク環境を利用して、この撮影装置に対し、外部より撮影装置と互換性のあるファイルフォーマットにて、記録媒体のラベル、レーベル形状の情報を提供し、撮影装置側でその情報を元にフレーム情報を生成し、図１における表示手段１１４に印刷範囲が確認できるフレームを表示するようにしてもよい。外部よりフレーム情報をプリセット登録することも考えられる。これによって、ユーザは同様に、ファインダ内において撮像範囲と、印刷範囲及び印刷が欠ける範囲を確認しながら被写体の位置合わせを行うことができる。
【００１８】
また、図５に示すように、外部の記録媒体側でラベル、レーベル形状が１次元若しくは２次元バーコード（代表的なものとしてＱＲコ−ド）化された情報を撮影装置で読み込ませることによって、撮影装置側でその情報を元にフレーム情報を自動生成し、図１における表示手段１１４に印刷範囲が確認できる印刷フレームを表示するようにしてもよい。また、外部の記録媒体よりフレーム情報を撮影装置にプリセット登録することも考えられる。また、複数の印刷フレーム情報を一度に表示してユーザが撮影時にその１つを選択し、表示手段１１４に印刷フレームを表示するようにしてもよい。
【００１９】
ラベル印刷用の撮影データを内部の記録媒体１１１に保存する場合には、撮影時に撮影装置側で図６に示すように、印刷範囲外を削除した画像データを作成し、ＰＮＧ形式のようなファイル形式で画像データを記録媒体に保存を行うことが考えられる。同時に、印刷範囲に関係なく実際に撮影したサイズのノーマル画像データをＪＰＥＧ形式、若しくはＴＩＦＦ形式で記録媒体に保存することも考えられる。
【００２０】
また、図７に示すように、印刷範囲外を削除した画像データに対して位置合わせマークを埋め込んだ画像データを作成し、ＰＮＧ形式のようなファイル形式で画像データを内部の記録媒体１１１に保存を行うことが考えられる。ここで、図７に示す印刷範囲外の位置合わせマークは、画像データの位置合わせの基準となる。
【００２１】
また、印刷範囲外を削除した画像データに対して位置関係の情報を示すデジタルデータを埋め込んだ画像データを作成し、ＰＮＧ形式のようなファイル形式で画像データを内部の記録媒体１１１に保存を行うことが考えられる。また、印刷範囲を白抜き処理、若しくは、ある１色の色で抜き出す処理を行って、ＪＰＥＧ形式、若しくはＴＩＦＦ形式で画像データを記録媒体１１１に保存を行うことが考えられる。
【００２２】
ラベル印刷用の撮影データを編集、印刷する場合には、ユーザがパーソナルコンピュータなどの編集機器と編集ソフトを用いて、手動で印刷対象のラベル、レーベル形状の寸法に画像サイズを調整し、印刷機器で印刷を行う。位置合わせ情報若しくはフレーム情報が埋め込まれた画像データを基に編集、印刷する場合には、パーソナルコンピュータなどの編集機器と編集ソフトを用いることで、自動で印刷対象のラベル、レーベル形状の寸法に画像サイズを調整し、印刷機器で印刷を行う。位置合わせ情報、若しくはフレーム情報が埋め込まれた画像データを基にダイレクト印刷する手段としては、この撮影装置若しくは印刷装置において、自動で印刷対象のラベル、レーベル形状の寸法に画像サイズを調整し、印刷装置にて印刷を行う。撮影データの保存手段、編集、印刷手段の組み合わせによって、記録媒体のラベル、フレーム形状に合わせた画像撮影システムを実現することができる。また、デジタルカメラ以外の静止画撮影機能を有する機器若しくはシステムによって、記録媒体のラベル、フレーム形状に合わせた画像撮影システムを実現することができる。
【００２３】
先に述べた外部記録媒体のラベル形状・寸法を入力する設定では、ラベルに対して１つの画像構成で印刷することを前提にした印刷フレームの設定であったが、応用例として１つの印刷フレームに対して、いくつかに分割した撮影フレームを設定できるようにすることで、各々の撮影フレームを基に静止画の撮影を行ない、ユーザが撮影を行なった撮影フレーム別の画像から、任意の画像を選択し、印刷フレームに合った合成画像の生成を実現することができる。
【００２４】
この場合の、ＣＰＵ１０４は図１０に示すフローチャートのように、ＲＯＭ１０６のシステム制御プログラムを実行することにより、表示手段１１４にラベル形状・寸法・フレーム分割数の設定画面を表示し、入力手段１０７からのラベル形状・寸法・フレーム分割数の入力によって操作を実現する。まず、ステップｓ１０１において印刷フレーム入力設定画面に入り、主にビデオテープやメモリカードなどの記録媒体のラベル形状は四角形であり、ディスクのレーベル形状はドーナツ形状であることから、ステップｓ１０２において印刷フレーム形状をドーナツ形か四角形かの選択を行う。その他に、一般的な印刷フレーム形状をプリセットしておくことで、ユーザ側の設定負担を軽減することも考えられる。
【００２５】
ステップｓ１０２においてドーナツ形を選択した場合は、ステップｓ１０３においてドーナツ形の外周寸法を半径寸法、若しくは直径寸法で入力を行い、ステップｓ１０４において内周寸法を半径寸法、若しくは直径寸法で入力を行う、ステップｓ１０２において四角形を選択した場合は、ステップｓ１０５において四角形の短辺寸法の入力を行い、ステップｓ１０６において長辺寸法の入力を行う。次いでステップｓ１０７において４隅の各のＲ形状の入力を行う場合、Ｒ処理を行う縦方向、横方向の寸法入力、Ｒ半径の寸法入力が考えられるが、どこまで詳しく設定を行うかはシステム制御プログラムに依存し、また、設定を簡略化するため設定を省略しても構わない。その後、ステップｓ１０８にて印刷フレームの分割数の入力を行うが、分割数の入力範囲はシステム制御プログラムに依存する。分割数を１とした場合は印刷フレームがそのまま撮影フレームとなる。分割数をＮ数とした場合は、ユーザが撮影時に使用する撮影フレームがＮ数準備され、撮影時に撮影フレームを選択することになる。なお、ステップｓ１０９において、印刷フレーム形状を分割した撮影フレームをプリセットとしておく場合には、プリセット印刷フレームデータとして、分割数・形状の情報が確認できる印刷フレームデータとし、ユーザがプリセットされた印刷フレームを選択するだけで、印刷フレームを分割した撮影フレームの設定を行なったことになり、撮影時に撮影フレームを選択することになる。これにより、設定を終了する。
【００２６】
上記の設定操作によって、例えば、ステップｓ１０２においてドーナツ形を選択し、ステップｓ１０３で外周寸法、ステップｓ１０４で内周寸法を入力し、ステップｓ１０８にて分割数を４と設定した場合、図１４に示すような、撮影フレームが４つある印刷フレームが決定される。
【００２７】
実際の撮影する際には、撮影時に使用する撮影フレームを呼び出す必要がある。この場合、ＣＰＵ１０４は図１１に示すフローチャートのように、ＲＯＭ１０６のシステム制御プログラムを実行することにより、ラベル形状・寸法・フレーム分割数の設定によって設定された印刷フレーム情報から、撮影時に選択可能な撮影フレームが決定しているので、ユーザはその撮影フレームの選択筋の中から１つを選択することを実現する。ステップｓ１１１において撮影フレーム選択画面に入り、ステップｓ１１２にて選択可能な撮影フレームの中から、撮影で使用する撮影フレームを１つ選択し、設定を終了する。
【００２８】
ラベル形状・寸法・フレーム分割数の設定にて、図１４で示すような印刷フレームを設定し、撮影フレームの設定によって、撮影フレーム−１を選択した場合には図１３の（ｇ）、撮影フレーム−２を選択した場合には図１３の（ｈ）、撮影フレーム−３を選択した場合には図１３の（ｉ）、撮影フレーム−４を選択した場合には図１３の（ｊ）に示すような印刷範囲が確認できるフレーム情報を表示手段１１４に表示する。
【００２９】
撮影フレーム毎に撮影された画像の合成については、撮影装置、印刷装置、若しくはパーソナルコンピュータなどの編集機器と編集ソフトを用いて合成することが考えられるが、例えば、撮影装置側で画像合成を行う場合には、ＣＰＵ１０４は図１２に示すフローチャートのように、ＲＯＭ１０６のシステム制御プログラムを実行することにより、表示手段１１４に分割撮影画像の選択画面を表示し、入力手段１０７からの各々の分割撮影画像の選択入力を実現する。まず、ステップｓ１２１において分割画像の合成選択画面に入り、Ｎ数の分割撮影フレームにて撮影した画像を合成する場合には、ステップｓ１２２にて撮影フレーム−１にて撮影された画像の中から１つを、同様にステップｓ１２２にて撮影フレーム−２にて撮影された画像の中から１つを選択し、この操作を繰り返すことで、ステップｓ１２４にて最後の撮影フレーム−Ｎにて撮影された画像の中から１つを選択することで、ステップｓ１２５にてそれまでに選択された画像を合成した印刷フレーム画像を表示する（図１４）。その後、ステップｓ１２５にて合成印刷フレーム画像を保存、印刷、またはキャンセルするかを選択し、保存を選択した場合はｓ１２７で合成画像の保存処理を行い、印刷を選択した場合には、ステップｓ１２８で撮影装置とプリンタとを接続しダイレクト印刷を実現し、キャンセルを選択した場合にはステップｓ１２９でそれまでの処理をキャンセルして、処理を終了する。
【図面の簡単な説明】
【００３０】
【図１】本発明に係る撮影装置の第１の実施の形態としてデジタルカメラを示すブロック図である。
【図２】図１のデジタルカメラを用いたシステム構成図である。
【図３】本発明に係る印刷フレームデータ入力を説明するためのフローチャートである。
【図４】印刷フレームを表示した表示画面を示す説明図である。
【図５】外部記録媒体側のレーベル印刷フレーム情報を示す説明図である。
【図６】レーベル印刷画像の位置合わせ情報を示す説明図である。
【図７】レーベル印刷画像の位置合わせマークを示す説明図である。
【図８】ディスクレーベルの印刷例を示す説明図である。
【図９】ディスクレーベルの他の印刷例を示す説明図である。
【図１０】本発明に関わる印刷フレームデータ入力、分割数入力を説明するためのフローチャートである。
【図１１】本発明に関わる撮影フレーム選択を説明するためのフローチャートである。
【図１２】本発明に関わる複数の画像からの印刷画像生成を説明するためのフローチャートである。
【図１３】分割撮影フレームを表示した表示画面を示す説明図である。
【図１４】画像合成を行ったディスクレーベルの印刷例を示す説明図である。
【符号の説明】
【００３１】
Ｆ１、Ｆ２  印刷フレーム
１０１  光学系
１０２  ＣＣＤ
１０３、１０９  信号処理部
１０４  ＣＰＵ
１０５  ＲＡＭ
１０６  ＲＯＭ
１０７  入力手段
１０８  フレームメモリ
１１０  記録媒体制御部
１１１  記録媒体
１１２  インターフェース
１１３、１１４  表示手段
２０１、２１１、２２１、２３１  デジタルカメラ
２０２、２２２  パーソナルコンピュータ
２０３、２１２、２２３、２３２  プリンタ
２０４、２０４’、２１３   ＵＳＢケーブル
２２４、２３３  メモリカード
【図１】
2008300947.tif 000003
【図２】
2008300947.tif 000004
【図３】
2008300947.tif 000005
【図４】
2008300947.tif 000006
【図５】
2008300947.tif 000007
【図６】
2008300947.tif 000008
【図７】
2008300947.tif 000009
【図８】
2008300947.tif 000010
【図９】
2008300947.tif 000011
【図１０】
2008300947.tif 000012
【図１１】
2008300947.tif 000013
【図１２】
2008300947.tif 000014
【図１３】
2008300947.tif 000015
【図１４】
2008300947.tif 000016